(57)【要約】【課題】  本発明は、例えばカメラや携帯電話などの持ち運びが可能な映像機器で得られた映像を表示装置に表示させる際の、利便性を向上させるための技術を提供する。【解決手段】  本発明にかかる表示装置は、外部映像機器(100)と所定の有線インタフェースを介して接続可能であり、該外部映像機器から映像情報が入力可能な第一の通信部(2011)と、該外部映像機器と所定の無線インタフェースを介して接続可能であり、該外部映像機器から映像情報が入力可能な第二の通信部(2012)と、前記第一及び第二の通信部に入力された映像情報の少なくとも１つに基づく映像を表示するための表示部(2016)とを備える。そして、第二の通信部に無線インタフェースによる映像情報を入力させるための取得要求が為された場合に、第一の通信部から、有線インタフェースを介して前記映像機器に対し取得要求に関する情報を出力する。【選択図】図１
2009130874.tif 000002
【特許請求の範囲】
【請求項１】
表示装置において、
外部映像機器と所定の有線インタフェースを介して接続可能であり、該外部映像機器から映像情報が入力可能な第一の通信部と、
該外部映像機器と所定の無線インタフェースを介して接続可能であり、該外部映像機器から映像情報が入力可能な第二の通信部と、
前記第一及び第二の通信部に入力された映像情報の少なくとも１つに基づく映像を表示するための表示部と、を備え、
前記第二の通信部に前記無線インタフェースによる映像情報を入力させるための映像情報取得要求が為された場合に、前記第一の通信部から、前記有線インタフェースを介して前記映像情報取得要求に関する情報を出力することを特徴とする表示装置。
【請求項２】
請求項１に記載の表示装置において、前記第一及び第二の通信部に入力される前記映像情報の少なくともいずれかが、圧縮映像情報であることを特徴とする表示装置。
【請求項３】
請求項１または２に記載の表示装置において、前記第二の通信部に映像情報を入力させるための映像情報取得要求から他の通信部に映像情報を入力させるための映像情報取得要求がなされた場合は、該第二の通信部に映像情報を入力させるための映像情報送信要求を解除する信号を、前記有線インタフェースを介し出力することを特徴とする表示装置。
【請求項４】
表示装置において、
外部映像機器と所定の有線インタフェースを介して接続可能であり、該外部映像機器から映像情報が入力可能な第一の通信部と、
該外部映像機器と所定の無線インタフェースを介して接続可能であり、該外部映像機器から映像情報が入力可能な第二の通信部と、
前記第一及び第二の通信部に入力された映像情報の少なくとも１つに基づく映像を表示するための表示部と、
該有線インタフェースを介して取得した通信制御のための情報を記憶する記憶部と、を備え、
前記記憶部に記憶された該通信制御のための情報を上記無線インタフェースを介した接続に用いることを特徴とする表示装置。
【請求項５】
映像機器において、
外部表示装置と所定の有線インタフェースを介して接続可能であり、該外部表示装置へ映像情報が出力可能な第一の通信部と、
該外部表示装置と所定の無線インタフェースを介して接続可能であり、該外部映像機器へ映像情報が出力可能な第二の通信部と、を備え、
前記第１の通信部は、前記有線インタフェースを介して、前記第二の通信部から前記無線インタフェースによる映像情報を出力させるための映像情報出力要求を受信することを特徴とする映像機器。
【請求項６】
請求項５に記載の映像機器において、前記第一及び第二の通信部から出力される前記映像情報の少なくともいずれかが、圧縮映像情報であることを特徴とする映像機器。
【請求項７】
請求項５または６に記載の映像機器において、前記第二の通信部への映像情報出力要求を解除する信号は、前記有線インタフェースを介して前記第一の通信部へ入力されることを特徴とする映像機器。
【請求項８】
映像機器において、
外部表示装置と所定の有線インタフェースを介して接続可能であり、該外部表示装置へ映像情報が出力可能な第一の通信部と、
該外部表示装置と所定の無線インタフェースを介して接続可能であり、該外部表示装置へ映像情報が出力可能な第二の通信部と、
該有線インタフェースを介して取得した通信制御のための情報を記憶する記憶部と、を備え、
前記記憶部に記憶された該通信制御のための情報を上記無線インタフェースを介した接続に用いることを特徴とする映像機器。
【発明の詳細な説明】
【技術分野】
【０００１】
本発明は、有線及び／または無線インタフェースを介して表示装置に接続された映像機器からの映像情報を当該表示装置に表示するための技術に関するものである。
【背景技術】
【０００２】
映像機器と、他の映像機器である映像表示装置とを接続して映像などを視聴するために、アナログ接続をして映像信号と音声信号を伝送する方法が用いられてきた。しかしながら、デジタル機器の普及に伴い、画質劣化防止の視点、著作権保護の視点から、デジタル接続をし、映像信号と音声信号とを暗号化して伝送する方法が用いられている。
【０００３】
デジタル伝送の一例として、ＨＤＭＩ方式が知られている。ＨＤＭＩ方式では、高精細映像信号のベースバンド信号と音声信号を時分割多重して、ＨＤＣＰと呼ばれる暗号化処理をして送信可能とするものである。
【０００４】
このような、デジタル化した映像信号と音声信号とを多重化して送信する従来技術としては、例えば下記特許文献１に開示されている。また、ＨＤＭＩ方式については、例えば非特許文献１及び２に記載のようにワイヤレス化の検討が進められており、ＷｉＨＤ、ＷＨＤＩなどといった規格の開発が進められている。
【０００５】
【特許文献１】特開２００７−２０２１１５号公報
【非特許文献１】日経エレクトロニクス２００５年７月１８日号、ｐｐ６１−７０
【非特許文献２】日経エレクトロニクス２００６年１１月２０日号、ｐｐ３４−３５
【発明の開示】
【発明が解決しようとする課題】
【０００６】
上記ＨＤＭＩ方式では、家庭内におかれた据え置き機器間の接続を前提にしており、デジタルカメラや携帯電話などの持ち運びが可能な機器と映像表示装置とを、若しくは、デジタル放送を受信するチューナやセットトップボックスなどの据え置き型の映像機器と可搬型の映像表示装置とを、便利に接続することに対する配慮が充分ではなかった。
【０００７】
また、映像機器と映像表示装置間の接続はＨＤＭＩ方式が主流になっているが、ユーザの利便性をさらに高めるために、このＨＤＭＩ方式と共存しやすいワイヤレス規格が望まれている。したがって、映像表示装置はその使用年数が長いことから、現行のＨＤＭＩ方式と、今後登場するワイヤレス規格との両方の方式について好適に対応可能とする必要がある。
【０００８】
本発明は、かかる課題に鑑みて為されたものである。そして本発明は、例えばカメラや携帯電話などの持ち運びが可能な映像機器で得られた映像を表示装置に表示させる際の、利便性を向上させるための技術を提供するものである。特に、映像機器からの映像情報を有線インタフェースを介し、表示装置に表示させる場合に、その表示装置を携帯して移動させる場合にも、引き続き映像機器からの映像情報を視聴することが可能にするための技術を提供するものである。
【課題を解決するための手段】
【０００９】
本発明は、表示装置において、外部映像機器と所定の有線インタフェースを介して接続可能であり、該外部映像機器から映像情報が入力可能な第一の通信部と、該外部映像機器と所定の無線インタフェースを介して接続可能であり、該外部映像機器から映像情報が入力可能な第二の通信部と、前記第一及び第二の通信部に入力された映像情報の少なくとも１つに基づく映像を表示するための表示部と、を備え、前記第二の通信部に前記無線インタフェースによる映像情報を入力させるための映像情報取得要求が為された場合に、前記第一の通信部から、前記有線インタフェースを介して前記映像情報取得要求に関する情報を出力することを特徴としている。
【００１０】
かかる表示装置において、外部映像機器から映像情報が入力可能な第一の通信部は、外部映像機器と所定の有線インタフェースを介して接続されており、外乱を受けにくく安定した伝送品質、高い機密性、低い消費電力での接続が可能になる。
【００１１】
また、該外部映像機器から映像情報が入力可能な第二の通信部は、外部映像機器と所定の無線インタフェースを介して接続可能されており、接続機器間の配置、姿勢に自由度が大きく、利便性が高い接続が可能になる。
【００１２】
表示部は、該外部映像機器からの映像情報に対し、有線インタフェースを介した映像を表示する。そして、表示装置に画像を表示しながら他の場所へ移動する場合には、ユーザは、例えばリモコン装置などを使用して、第二の通信部への映像情報取得要求を表示装置に与える。表示装置の制御装置は、この映像情報取得要求を解釈し、前記第一の通信部から前記有線インタフェースを介して外部映像機器へ映像情報を無線インタフェースに伝送するよう指示命令を出力する。このことにより、外部映像機器は、無線インタフェースを介して映像情報を表示装置へ送出するので、有線インタフェースを外しても外部映像機器からの映像情報を表示装置が受け取ることが可能なため、映像機器からの映像を持ち運びが可能な表示装置に表示させる際の、利便性を向上させることが可能となる。
【発明の効果】
【００１３】
本発明によれば、映像機器と表示装置とを無線インタフェース、有線インタフェースで接続して映像情報を表示装置で表示する際の利便性を向上させることができる。
【発明を実施するための最良の形態】
【００１４】
以下、本発明の好ましい実施の形態について、図面を用いて説明する。
【実施例１】
【００１５】
図１は、本発明の第１実施例を示している。図１では、映像機器として例えば２つの映像機器を示している。一つは、携帯電話の基地局アンテナ２０または放送送信タワー３０からのデジタル放送信号を受信可能な例えば可搬型の映像機器である映像機器１００、一つは、例えばチューナなどの、放送送信タワー３０からのデジタル放送信号を受信可能な映像表示装置２００である。映像機器１００と映像表示装置２００は例えば有線の双方向インタフェース１０で接続され、更に別の無線の双方向インタフェース１１で接続されている。これにより、各機器間において、映像信号やその他情報、信号の双方向通信を可能としている。
【００１６】
本実施例において、持ち運びのできる映像機器１００は、具体的にはデジタルカメラ、ビデオカメラ、携帯電話機、ゲーム機、パーソナルメディアプレーヤなどである。それぞれの形態に応じて必要な構成要素は必ずしも同じではないが、図１に示す実施例では主に外部との入出力として必要な構成要素を記載している。
【００１７】
図１において、携帯電話の基地局アンテナ２０と映像機器１００のアンテナ１０２は信号の送受信を行う。映像機器１００を携帯電話として使用する場合には、通常の携帯電話としての信号処理が行われる。また、映像機器１００は、携帯電話の基地局アンテナ２０から送信された映画などのコンテンツを受信することもできる。この場合、コンテンツを映像機器１００に内蔵した表示装置、音声出力装置で視聴することもできるし、端子１０１、接続ケーブル１０、端子２０１を介して外部の映像表示装置２００で、大画面で視聴することもできる。さらには、コンテンツを視聴しながら、あるいは後でコンテンツを視聴するために、該コンテンツを映像機器１００に内蔵された蓄積媒体、あるいは映像機器１００に接続された蓄積媒体（例えば、メモリ１２１）に記録することもできる。メモリ１２１は映画などの記録のための記録媒体として使用することもできる。
【００１８】
同様に、放送送信タワー３０から放送された番組は、映像機器１００の放送受信機１８０で受信され、映像機器１００で視聴することもできるし、映像機器１００に内蔵された蓄積媒体（図示せず）、あるいは接続された蓄積媒体（例えば、メモリ１２１）に記録することもできる。さらに、端子１０１、接続ケーブル１０、端子２０１を介して映像表示装置２００で視聴することもできる。
【００１９】
さらにはまた、映像機器１００に撮像装置１１０、マイク１１２を搭載することで、音声とともに静止画、動画を撮影することができ、適宜内蔵された蓄積媒体（図示せず）やメモリ１２１に蓄積できる。内蔵された蓄積媒体やメモリ１２１に蓄積した映像、音声は端子１０１、接続ケーブル１０、端子２０１を介して、映像表示装置２００で視聴できる。
【００２０】
図１に示す実施例では、映像機器１００の端子１０１と映像表示装置２００の端子２０１、映像機器１００の端子１３４と映像表示装置２００の端子２０２をそれぞれ接続ケーブル１０、空間１１で接続する場合について示している。
【００２１】
次に、本実施例の動作について図１を用いて説明を行う。まず、映像機器１００と映像表示装置２００との間で、無線インタフェースの接続がされていなく、接続ケーブル１０によって有線インタフェースのみによる接続を行う場合を説明する。この場合は通常の有線インタフェース接続がなされる。具体的には例えばＨＤＭＩインタフェースを用いればよい。
【００２２】
ここで、ＨＤＭＩインタフェースについて、補足説明する。図８は、ＨＤＭＩインタフェースの一構成例を示しており、主として送信側と受信側とで構成されている。送信側は、送信部１６０１及び送信部１６０１を制御する送信側制御部１６０３を含んでおり、送信部１６０１は、映像信号（Y、Pb、Prあるいは、Ｒ、Ｇ、Ｂ）と音声信号をエンコードし受信部１６０４へ出力するように構成されている。更に送信部１６０１はＴＭＤＳエンコード回路１６０２を含んでおり、映像信号（Y、Pb、Prあるいは、Ｒ、Ｇ、Ｂ）と音声信号を、それぞれシリアル映像データとシリアル音声データに変換する。一方、受信側は、受信部１６０４及び受信部１６０４を制御する送信側制御部１６０６を含んでおり、受信部１６０４は、送信部１６０１から送られてきた映像データ、音声データをＴＭＤＳデコード１６０５によりＴＭＤＳデコードし、ベースバンドの映像データ、音声データを再生する。ＣＥＣライン１６０７は、機器用の制御信号を伝送する機器制御ラインを構成しており、またＤＤＣと呼ばれるディスプレイ仕様情報は、ＤＤＣライン１６０８を介して伝送される。また、受信側は送信側に対し、送信側機器と受信側機器とが接続されたことを示すＨＰＤ（Hot Plug Detect）信号１６０９が送信される。
【００２３】
ＨＤＭＩ規格では、データもしくは信号の伝送を行うために、機器間の相互認識を次の手順で行う。まず、ＤＤＣライン１６０８を利用し、物理アドレスを取得する。この物理アドレスとは、機器を区別するための識別番号である。そして、双方向接続であるＣＥＣバスを利用し、各機器間の双方向通信のための論理アドレスを取得する。論理アドレスとは、表示装置、記録装置などといった各機器のカテゴリを定義した識別情報である。
【００２４】
図１にもどり、映像機器１００と映像表示装置２００との間の接続に関し、接続ケーブル１０を接続しないで、無線インタフェースにより接続を行う場合を説明する。この場合は通常の有線インタフェース接続と同様の手順で無線を用いて、物理アドレスの取得、論理アドレスの取得を行い、その後これらのアドレスを利用して接続がなされる。例えばＨＤＭＩインタフェースと同様の手順を用いて、所定の周波数帯域により、無線にて接続すれば良い。
【００２５】
つぎに、有線インタフェースと無線インタフェースとを両方接続する場合について説明する。この接続は、当初、映像機器１００と映像表示装置２００とを近距離で接続し、外部からの雑音の影響を受けることなく安定に視聴を行っていた時に、映像機器１００と映像表示装置２００との接続を維持したまま、映像機器１００若しくは映像表示装置２００を移動させる場合に効果的である。
【００２６】
図９はこの場合の接続手順について説明する図である。映像機器１００および映像表示装置２００の夫々の電源が有効になってから、制御回路１３２、２０１３はそれぞれ所定の手順で、双方の物理アドレスを取得し、映像機器１００および映像表示装置２００それぞれの情報記憶回路１３５、２０１７へ各々の機器に対応する物理アドレスを記録する。そして、所定の手順により双方の論理アドレスを取得し、映像機器１００および映像表示装置２００それぞれの情報記録回路１３５、２０１７へ各々の機器に対応する論理アドレスを記録する。この情報記録回路１３５、２０１７の状態を図３に示す。図３の上図には、映像機器１００側の情報記録回路１３５に記載されている内容が、また、下図には、映像表示装置２００側の情報記録回路２０１７の状態を示す。現時点では、図３の上図、下図とも第２行目の情報までが記録されている。これらの情報記録回路１３５、２０１７の情報をもとにして、有線インタフェースによる情報伝送がなされる。
【００２７】
このようにすることにより、有線によるＨＤＭＩインタフェースと無線インタフェースとで共通化が可能となり、制御回路１３２、２０１３と、情報記録回路１３５、２０１７とを共有化することができるとともに、インタフェースの接続手順の共通化をはかることが可能となる。無線インタフェースを用いるときは、複数の無線インタフェースが近傍で使用すると互いに干渉するので、使用する周波数帯域の管理が必要である。この周波数帯域の設定はユーザが手動で行ってもよいし、複数の帯域を用意しておき、使用状況を検出し自動で設定することも可能である。このようにして設定した周波数帯域は、有線インタフェースには不要であるが無線インタフェースに必要なものであり、情報記録回路１３５、２０１７により管理される。
【００２８】
ここで、例えばユーザが移動する必要が生じたとき、いままで接続していた、映像機器１００および映像表示装置２００との接続を維持したまま、移動する場合を考える。ユーザは、映像表示装置２００に対し、リモコン２０１４や映像表示装置２００上の制御キーなどを用いて、無線インタフェースへの接続を指示する。そうすると、映像表示装置２００の制御回路２０１３がこの情報を受取り、映像機器１００に対し、無線インタフェース部の動作準備のために、現在映像機器１００で使用している情報記録回路１３５の情報を、新たに無線インタフェースの情報として複写することを指示する。この映像表示装置２００から映像機器１００への指示は、有線インタフェース回路２０１１、端子２０１、接続ケーブル１０、端子１０１、有線インタフェース回路１３１を介し、制御回路１３２へ伝送される。制御回路１３２は、この指示を解釈し、情報記録回路１３５上の第２行目にある、有線インタフェースに関する情報を複写し、無線インタフェースに関する情報としてそのまま記録する。
【００２９】
こうすることにより、通常、無線インタフェースを接続する際に行われる、物理アドレス、論理アドレスの取得が不要になるので、短時間で無線インタフェースを接続することが可能になる。制御回路２０１３は、この無線インタフェースが確立されてから、混合回路２０１５を制御し、無線インタフェースからの信号を表示装置２０１６へ送り、無線インタフェースに切り替わったことを画面に表示をする。この表示は特に表示装置上におこなわなくても、映像表示装置上のＬＥＤなどの発光素子を用いて表示させても良い。ユーザは無線インタフェースに切り替わったことを認識したあと、接続ケーブル１０をそれぞれの機器から外すことによって、任意の場所へ視聴しながら移動することが可能になる。このとき、映像機器１００で使用していた信号源として例えば放送受信機１８０を選択していた場合にも、その放送受信機１８０で使用していた番組をいちいち新たに設定することはなく、そのまま視聴することができ、ユーザに対し利便性に富むという効果がある。
【００３０】
情報記録回路１３５、２０１７の無線インタフェースに関する情報は、情報機器１００、映像表示装置２００の電源を切断した場合にも、そのまま情報が記憶される不揮発性のメモリで構成することにより、再度、映像機器１００および映像表示装置２００の電源を投入した場合に、そのまま同じ接続情報が使用できるので、使用のたびに機器間の設定が不要になり使い勝手に優れた構成が可能となる。
【００３１】
以上説明してきた内容から明らかなように、複数の機器間の接続を行う有線インタフェースと無線インタフェースとを有線インタフェースを用いて制御するので、関係のない機器に対し誤って制御情報を、誤動作させるということもない。また、有線インタフェースを用いているので、雑音などにも耐性があり、信頼性が高いという効果もある。
【００３２】
図２は、本発明の第１実施例を示すものであって、図１の映像機器１００の具体的な構成を示したものである。
【００３３】
撮像装置１１０は、光学系を通して入力された動画や静止画画像を取り込み、電気信号に変換する。圧縮回路１１１は、動画を送出する場合には、例えばＭＰＥＧ２、ＭＰＥＧ４、ＡＶＣ／Ｈ．２６４などの圧縮方式を用い、また、静止画を送出する場合には、例えばＪＰＥＧなどの圧縮方式を用い、取り込んだ画像を効率よくビット圧縮する。
【００３４】
一方、マイク１１２は音声を電気信号に変換する。圧縮回路１１３は、例えばＭＰＥＧオーディオなどの圧縮方式を用い、取り込んだ音声信号を効率よくビット圧縮する。
【００３５】
多重回路１１６には圧縮回路１１１、１１３からのビット圧縮された映像信号、音声信号、さらには、マイクロプロセッサ１１５からの各種情報が入力される。多重回路１１６は、これらの情報を用いて所定のフォーマットに従い多重化処理を行う。静止画を撮影した場合には、通常は音声信号を取り込まないが、静止画撮影に合わせて音声信号を多重しても良い。
【００３６】
マイクロプロセッサ１１５からの各種情報としては、センサ１１４を使用した位置情報（横、右縦、左縦）、日付、撮影時の露出情報、その他などである。
【００３７】
図２で、多重回路１１６で多重された信号は暗号／暗号復号回路１４０を介して蓄積装置１３０に蓄積される。蓄積装置として、例えば、ハードディスク装置、光ディスク装置、半導体メモリ装置などを使用することが可能であり、どのような蓄積装置を用いるかは、所望の蓄積容量、大きさ、蓄積媒体の取り出しの容易性、価格などを考慮して決めれば良い。また、信号処理回路１２４、メモリインタフェース１２０を介してメモリ１２１に蓄積することもできる。
【００３８】
個人で撮影した情報に関しては、撮影した本人に著作権があるため、通常は、蓄積に際し、暗号化は不要である。しかし、蓄積装置１３０で蓄積した媒体を紛失する可能性もあるので、多重回路１１６の出力信号を暗号／暗号復号回路１４０で暗号化した後、蓄積装置１３０、あるいはメモリ１２１に蓄積することで、安全性を高めることができる。
【００３９】
映像機器１００が取り外しのできる（リムーバブル）メモリに対応している場合や、携帯電話機能や無線ＬＡＮ機能を有する場合もある。メモリインタフェース１２０はリムーバブルなメモリ１２１のインタフェースであり、他の機器で静止画や動画の映像、音声コンテンツをメモリ１２１に記録し、それをインタフェース１２０に接続することで信号処理回路１２４、暗号／暗号復号回路１４０を介して蓄積装置１３０に記録することができる。
【００４０】
この時、メモリ１２１に記録されたコンテンツが著作権保護されており、複製が制限されている否かを、信号処理回路１２４で検出し、条件に従って暗号／暗号復号回路１４０で暗号化して蓄積装置１３０に移動する。
【００４１】
同様に、静止画や動画の映像、音声コンテンツが無線インタフェース１２２で受信され、入力された場合にも、信号処理回路１２４、暗号／暗号復号回路１４０を介して蓄積装置１３０に記録される。この場合にも、コンテンツの著作権保護、複製制限の条件に従い、必要に応じて暗号／暗号復号回路１４０で暗号化する。
【００４２】
蓄積装置１３０に蓄積されたコンテンツを再生して視聴する場合には、図示しない入力キーやリモコンなどを用いて視聴したいコンテンツを選択し、選択されたコンテンツは蓄積装置１３０から読み出されて、暗号／暗号復号回路１４０で暗号を復号し、逆多重回路１４１で映像信号と音声信号に分離される。
【００４３】
また、放送受信機１８０で放送を受信した場合には、放送のための暗号を暗号／暗号復号回路１４０で解き、必要に応じ、蓄積のための暗号化処理を同じく暗号／暗号復号回路１４０で行って、蓄積装置１３０、メモリ１２１に記録する。受信放送を直接視聴する場合には逆多重回路１４１により映像信号と音声信号に分離する。
【００４４】
分離され圧縮された映像信号は伸張回路１４２で伸張され、信号処理回路１５０に入力される。信号処理回路１５０は、表示装置１６０の走査線に合わせて走査線変換を行い、表示装置１６０に出力する。また、分離され圧縮された音声信号は伸張回路１４３で伸張され、音声出力装置１６１に出力される。このように、映像機器１００は表示装置１６０と音声出力装置１６１を有するので、外部に映像表示装置を接続することなくそのまま視聴することも可能である。なお、映像信号と音声信号の伸張処理に要する時間の違い、走査線変換処理の有無などにより映像表示、音声出力などに時間差がある場合、特に、音声信号が映像信号に先行するとユーザに違和感を与えるので、例えば伸張処理内で音声信号の遅延処理を行い、いわゆるリップシンク合わせを行う。これにより、映像信号と音声信号のずれによる違和感をなくすことができる。
【００４５】
これに対し、映像信号及び音声信号を外部の映像表示装置２００で視聴する場合には、映像表示装置２００の対応可能な走査線を確認し、表示する映像信号の走査線と一致する場合にはそのまま出力し、異なる場合には、信号処理回路１５０において必要な走査線に変換した後、多重回路１７０により、信号処理回路１５１で処理した音声信号と時間軸多重を行う。信号処理回路１５１は映像信号のブランキング期間に相当する期間に音声信号を時間軸圧縮するとともに、必要に応じリップシンク合わせのための時間調整を行う。多重回路１７０により多重された映像信号と音声信号は、暗号回路１７１に入力される。暗号回路１７１は、映像機器１００と映像表示装置２００との間を伝送するために必要な暗号処理を行い、有線のインタフェース回路１３１、端子１０１を介して映像表示装置２００へ出力する。ここで、暗号回路１７１は、映像機器１００と映像表示装置２００とを例えばＨＤＭＩ方式等の有線インタフェースを用いて接続する場合は、鍵長５６ビット以下のＨＤＣＰ暗号を用い、ワイヤレス方式の無線インタフェースを用いて接続する場合は１２８ビットＡＥＳ暗号を用いる。この暗号方式の切り替えはファームウェア等により切り替えられる。
【００４６】
なお、端子１０１から出力した信号をその受信先で蓄積する場合には、圧縮された信号を伸張することなく出力する。この場合には、暗号／暗号復号回路１４０から圧縮された信号を暗号回路１７１に入力し、伝送に必要な暗号化を行った後、有線のインタフェース回路１３１、端子１０１を介して出力する。
【００４７】
上記の説明では、撮像装置１１０、マイク１１２から取り込んだ映像信号、音声信号、ならびに、メモリ１２１、無線インタフェース１２２から入力されたコンテンツは、一度蓄積装置１３０に記録された後に、再生されるようにした。しかしながら、蓄積が不要な場合や、直接視聴する場合には暗号／暗号復号回路１４０での蓄積のための暗号化や暗号複合化処理を行うことなく逆多重回路１４１で処理を行えばよい。こうすることにより、映像機器１００に内蔵された表示装置１６０と音声出力装置１６１とを用いて、映像及び音声を視聴したり、有線のインタフェース回路１３１を介して外部に繋がれた受像機で視聴したりすることが可能になる。
【００４８】
映像機器１００を携帯電話として使用する場合について説明する。例えば会話などの音声が音声入出力部１２５に入力され、これが電話信号処理回路１２５により所定の信号処理並びに変調処理が為されて基地局アンテナ２０により携帯電話の基地局へ送信される。電話回線による受信も同様に、基地局から送信された音声は基地局アンテナ２０で受信され、これが電話信号処理回路１２５で所定の音声信号処理並びに復調処理が為された後に音声入出力部１２５供給され、音声として出力される。また、映像機器１００は、携帯電話の基地局から送信された動画などのコンテンツを受信することもできる。この場合、このコンテンツは、基地局アンテナ２０で受信され、電話信号処理回路１２５を経由して信号処理回路１２４へ供給される。その後、暗号／暗号復号処理回路１４０等において前述したような処理が施された後に、当該コンテンツを映像機器１００に内蔵した表示装置、音声出力装置で視聴することが可能となる。また、このように処理されたコンテンツを端子１０１、接続ケーブル１０、端子２０１を介して外部の映像表示装置２００で、大画面で視聴することもできる。さらには、コンテンツを視聴しながら、あるいは後でコンテンツを視聴するために、該コンテンツを映像機器１００に内蔵された蓄積媒体、あるいは映像機器１００に接続された蓄積媒体（例えば、メモリ１２１）に記録することもできる。メモリ１２１は映画などの記録のための記録媒体として使用することもできる。
【００４９】
図４は、図１に示す映像表示装置２００の具体的な構成を示したものである。同一部分には同一の符号を付し、その詳細な説明は省略する。
【００５０】
初めに、端子２０１から入力された信号が、圧縮されていない動画のベースバンド信号である場合について説明する。端子２０１から入力された信号は有線の入出力インタフェース回路２１０を介して暗号復号回路２１１に入力される。暗号復号回路２１１は、図２に示す暗号回路１７１の暗号化に対応しており、暗号回路１７１で暗号化されたものを暗号復号する。暗号復号された信号は逆多重回路２５０に入力され、映像信号と音声信号はそれぞれ信号処理回路２５１、２５２に入力される。信号処理回路２５１では、ディスプレイ２６０の表示可能な画素数に合わせて走査線変換、解像度変換を行う。信号処理回路２５２では、映像信号のブランキングに時間軸圧縮されて多重された音声信号の時間軸を伸張し、さらに、必要に応じ、リップシンク合わせ、音質調整などを行う。信号処理回路２５１、２５２の出力信号はそれぞれディスプレイ２６０、音声出力装置２７０に入力され、視聴される。
【００５１】
次に、端子２０１から圧縮された動画信号が入力された場合について説明する。圧縮された信号を入力する目的は、映像表示装置側２００に内蔵された蓄積装置２３０にその動画信号を蓄積することにある。
【００５２】
端子２０１から入力された信号は有線の入出力インタフェース回路２０１１を介して暗号復号回路２１１に入力される。暗号復号回路２１１は図２に示す暗号回路１７１の暗号化に対応しており、暗号回路１７１で暗号化されたものを暗号復号する。暗号復号された信号は暗号／暗号復号回路２４０に入力される。暗号／暗号復号回路２４０では、蓄積しようとするコンテンツのコピー制御情報を読み出し、それに応じて蓄積のための暗号化処理を行う。暗号化された信号は蓄積装置２３０に入力され圧縮されたまま蓄積される。ここで、暗号回路２１１は、上述した暗号回路１７１と同様に、映像機器１００と映像表示装置２００とを例えばＨＤＭＩ方式等の有線インタフェースを用いて接続する場合は、鍵長５６ビット以下のＨＤＣＰ暗号を用い、ワイヤレス方式の無線インタフェースを用いて接続する場合は１２８ビットＡＥＳ暗号を用いる。この暗号方式の切り替えはファームウェア等により切り替えられる。
【００５３】
端子２０１より入力された圧縮された信号を蓄積しながら視聴する場合には、まず暗号復号回路２１１で暗号を解かれた圧縮信号に相当する信号が暗号／暗号復号回路２４０から逆多重回路２４１に入力される。続いて、逆多重回路２４１において、圧縮された映像信号と音声信号とに分離される。分離された映像及び音声信号は、それぞれ伸張回路２４２、２４３で伸張され、ベースバンドに戻された後、それぞれ信号処理回路２５１、２５２に入力される。以下同様にディスプレイ２６０、音声出力装置２７０に入力され視聴される。
【００５４】
蓄積装置２３０に蓄えられたコンテンツを再生して視聴する場合には、蓄積装置２３０に蓄えられているコンテンツのタイトルなどをディスプレイ２６０に表示して、選択し、選択したコンテンツの信号を蓄積装置２３０から暗号／暗号復号回路２４０に入力する。暗号／暗号復号回路２４０で選択コンテンツの信号の暗号を復号し、逆多重回路２４１に入力し、以下同様に処理することで視聴することができる。
【００５５】
同様にメモリ２２１に蓄積されたコンテンツの再生も行うことができる。蓄積装置２３０に蓄えられたコンテンツの再生と同様に、メモリ２２１に蓄えられたコンテンツから視聴したいコンテンツを選択し、選択したコンテンツをメモリインタフェース２２０、信号処理回路２２４を介して暗号／暗号復号回路２４０に入力する。信号処理回路２２４では、メモリ２２１からコンテンツを読み出すのに必要な処理を行い、圧縮され、多重された映像信号と音声信号を暗号／暗号復号回路２４０に入力する。後の信号処理は蓄積装置２３０からコンテンツを読み出した場合と同様である。
【００５６】
また、蓄積装置２３０に蓄積するのと同様に、メモリ２２１にコンテンツを蓄積することもできる。その場合の処理の詳細な説明は省略するが、暗号／暗号復号回路２４０で暗号化されたコンテンツは信号処理回路２２４、メモリインタフェース２２０を介してメモリ２２１に蓄積される。
【００５７】
無線で送られてくるコンテンツを視聴したり、蓄積したりする場合も同様の処理を行う。無線で送られてきた圧縮されたコンテンツは無線インタフェース２２２、信号処理回路２２４を介して暗号／暗号復号回路２４０に入力される。暗号／暗号復号回路２４０では、無線伝送に必要な暗号化処理の暗号を復号する。後の処理は、蓄積装置２３０からの再生時の処理と同様である。
【００５８】
端子２０１あるいは端子２０２から非圧縮のベースバンド信号が入力された場合にも、蓄積装置２３０、メモリ２２１にコンテンツを効率よく蓄積することができる。以下、その場合の動作について説明する。
【００５９】
端子２０１から入力されたコンテンツは入出力インタフェース２０１１、暗号復号回路２１１、逆多重回路２５０を介して、映像信号と音声信号に分離される。分離された映像信号と音声信号は複製制御回路２８０を経て、圧縮回路２８１、２８２に入力される。複製制御回路２８０には入力されたコンテンツに多重された複製制御情報を読み取り、複製の可否判断をする。複製制御情報は、指定された部分にビットを割り当てる場合や、電子透かし技術を用いて、映像情報あるいは音声情報そのものに多重することもできる。
【００６０】
圧縮回路２８１は、映像信号を例えばＭＰＥＧ２、ＭＰＥＧ４、ＡＶＣ／Ｈ．２６４などの圧縮方式を用いて圧縮する。また圧縮回路２８２では、音声信号を例えばＭＰＥＧオーディオなどの圧縮方式を用いて圧縮する。圧縮された映像信号、音声信号は多重回路２８３に入力され、多重された後、暗号／暗号復号回路に入力され、以下同様に蓄積装置２３０、メモリ２２１に蓄積することができる。これにより、著作権情報に従って、効率よくコンテンツを長時間録画することができる。
【００６１】
図８は、映像機器１００と映像表示装置２００との間の無線インタフェース１１の補足説明図である。図８において、映像機器１００、映像表示装置２００はそれぞれ図１、図２、図４で説明したものと同一である。説明の簡便化のために、図８において、映像機器１００の構成要件については、無線のインタフェース回路１３３のみを記載してあり、その他の構成要件については図示していない。また、映像表示装置２００については無線の入出力インタフェース回路２０１２のみを記載してあり、その他の構成要件については図示していない。ここで、無線のインタフェース回路１３３、無線の入出力インタフェース回路２０１２は、共に双方向インタフェースである。図８においては、アンテナ８１、８４間、アンテナ８２、８５間はそれぞれ映像信号、音声信号、コンテンツの著作権保護や複製制限条件を示す制御信号を双方向伝送するためのチャネルである。これに対し、アンテナ８３、８６間のチャネルは、機器間制御信号を伝送するためのものである。また、ビット選択回路８１１、８１２は、映像信号、音声信号、コンテンツの著作権保護や複製制限条件を示す制御信号、機器間制御信号が入力される。上述した変復調方式について、ＱＰＳＫ変復調方式は、６４ＱＡＭ変復調方式に比して、伝送誤りに対する耐性が高い。一方、伝送効率については、６４ＱＡＭ変復調方式の方がＱＰＳＫ変復調方式よりも効率が高い。ここで、映像機器１００から映像表示装置２００へ、映像と音声と、これらに関連するコンテンツの著作権保護や複製制限条件を示す制御信号を送る場合について説明する。ここで、映像機器１００から映像表示装置２００へ情報を送信する方向を上りとし、逆に、映像表示装置２００から映像機器１００へ情報を送信する方向を下りとする。
【００６２】
映像機器１００が情報の送信を行うために、まず、搬送波検出回路（図示せず）により、使用チャネルが既に他の機器が占有しているか否かを調査する。この搬送波検出は、所定の期間、所定の周波数帯に搬送波が存在するか否かを検出することにより行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。
【００６３】
マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。誤り制御回路８４３はこの送信要求信号に対し、誤り検出・訂正用の誤り制御ビットを付加しＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、誤り制御回路８４７により、誤り検出・訂正制御を行うことにより機器間制御信号を出力し、ビット選択回路８１２へ伝える。
【００６４】
映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。以下、コンテンツの著作権保護や複製制限条件に問題がない場合の説明を行う。
【００６５】
インタフェース回路１７２に入力された、映像信号と、音声信号と、これらに関連するコンテンツの著作権保護や複製制限条件を示す制御信号のうち、映像信号のＭＳＢから２ビットを選択し、その２ビットに対し、誤り制御回路８４１により、誤り検出・訂正用の制御ビットを付加し、ＱＰＳＫ変復調回路８０１へ送る。そしてこの信号に対し、ＱＰＳＫ変復調回路８０１はＱＰＳＫ変調し、アンテナ８１から無線信号を送出する。また、残りの３ビット目から８ビット目までのビットに対しては、誤り制御回路８４２により、誤り検出・訂正用の制御ビットを付加し、６４ＱＡＭ変復調回路８０２へ送る。そしてこの信号に対し、６４ＱＡＭ変復調回路８０２は、６４ＱＡＭ変調し、アンテナ８２から無線信号を送出する。
【００６６】
映像表示装置２００では、アンテナ８４により受信された信号に対し、ＱＰＳＫ変復調回路８０４は、ＱＰＳＫ復調し、誤り制御回路８４５により誤り制御を行った後、映像信号の上位２ビットをビット制御回路８１２へ出力する。アンテナ８５により受信された残りの信号に対し、６４ＱＡＭ変復調回路８０５は、６４ＱＡＭ復調し、誤り制御回路８４６により誤り制御を行った後、ビット制御回路８１２へ出力する。
【００６７】
ここで、機器間制御信号について説明する。機器間制御信号は、下り方向、すなわち映像表示装置２００から映像機器１００へ信号を送出する場合には、ビット選択回路８１２から、誤り制御回路８４７を介し、ＱＰＳＫ変復調回路８０６により変調してアンテナ８６から出力する。映像機器１００は、この信号を、アンテナ８３で受信し、ＱＰＳＫ変復調回路８３を介し、ＱＰＳＫ変復調回路８０３によりＱＰＳＫ復調し、そして誤り制御回路８４３により誤り検出・訂正を行った後、ビット選択回路８１１へ伝送する。反対に、機器間制御信号を上り方向、すなわち映像機器１００から映像表示装置２００へ信号を送出する場合には、ビット選択回路８１１から、誤り制御回路８４３を介し、ＱＰＳＫ変復調回路８０３により変調してアンテナ８３から出力する。映像表示装置２００は、この信号を、アンテナ８６で受信し、ＱＰＳＫ変復調回路８０６によりＱＰＳＫ復調し、そして誤り制御回路８４７により誤り検出・訂正を行った後、ビット選択回路８１２へ伝送する。このようにすることにより、システムを構築するうえで重要な機器間制御信号に対し、雑音が多い環境においても誤動作が少なくなるという効果がある。
【００６８】
本実施例の構成ではデジタル信号の上位２ビットについて、伝送レートは低いが耐雑音性能に優れた伝送を行うことが可能となる。つまり、映像信号の上位ビットの方が画質に与える影響が大きいことを利用し、映像信号のＭＳＢから順に２ビットを取り出し、これらの情報に対し、ＱＰＳＫ変調を用いた伝送路を割り当てて、画質の劣化を少なくするものである。ところで、映像より音声情報のほうが重要なシステムにおいては、音声信号の重要な（例えば上位）２ビットに対し、ＱＰＳＫ変調を用いた伝送路に割り当てることも可能である。
【００６９】
さらに、人間が画像を認識する場合、画面の水平方向の周波数成分と画面垂直方向の周波数成分の夫々について、低域成分に対し高域成分は、比較的気にならないという傾向がある。また、画面内で動く物体のうち、早い動きに対しては人間の眼がついていかないという傾向がある。これらの傾向を利用し、画面の水平方向について、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。同様に、画面の垂直方向についても、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。さらに、画面の水平方向に対する周波数成分の取り扱いと、垂直方向とに対する周波数成分の取り扱いとを組み合わせ、所望の重要な情報に対しての雑音耐性を高めることも可能である。
【００７０】
上述の説明では、誤り制御回路８４１、８４２、８４３は、誤り制御回路８４１、８４２、８４３に入力された夫々のビット対し、誤り制御情報を付加するように説明したが、誤り制御回路８４１、８４２、８４３に入力されたビットをまとめて一語として扱い、この一語に対し誤り制御情報を付加してもよい。このように構成すると、誤り制御回路が簡単になり構成しやすい。
【００７１】
なお、図８に示す実施例では暗号処理については詳細を説明していないが、暗号回路１７１とインタフェース回路１７２を組み合わせ、図９に示すように処理を行うこともできる。図９は、図８に示されたシステムにおいて暗号処理を行うための構成の一例を示しており、図９のシステムは、暗号／暗号復号回路８２１〜８２６、暗号処理を含むインタフェース回路８３０、８３１、誤り制御回路８４１、８４２、８４３、８４５、８４６、８４７を含んで構成される。
【００７２】
図９に示す例では図８の例と同様に、ビット選択回路８１１で所定のビットを選択し、それぞれのビットは誤り制御回路８４１、８４２により誤り制御を行った後、暗号／暗号復号回路８２１、８２２で暗号化処理され、ＱＰＳＫ変復調回路８０１、６４ＱＡＭ変復調回路８０２に入力される。また、ＱＰＳＫ変復調回路８０４、６４ＱＡＭ変復調回路８０５で復調された信号は、暗号／暗号復号回路８２４、８２５に入力され、それぞれ暗号復号された後、ビット選択回路８１２でビット合成される。このように処理することで、重要度に応じた信号処理が可能となり、重要な情報は誤りにくく、したがって画質劣化を少なくし効率よく伝送することが可能となる。
【００７３】
また、暗号／暗号復号回路８２１〜８２６に可逆符号を組み合わせることでさらに効率を上げた伝送が可能となる。例えば図９に示す例において、暗号／暗号復号回路８２１〜８２３で暗号処理を行う前に、例えば統計的性質を用いた可逆の算術符号により伝送すべきビットを削減してから、暗号化を行う。映像機表示装置２００では、暗号／暗号復号回路８２４〜８２６で暗号復号した後、暗号／暗号復号回路８２１〜８２３に対応した可逆符号の復号を行った後、誤り制御回路８４５〜８４７で誤り検出・訂正を行い、ビット選択回路８１２でビット合成する。可逆符号を組み合わせることで、伝送すべき情報の伝送レートを低減できるので、さらに効率よく伝送可能となる。
【００７４】
さらに、暗号化について補足説明する。全ての暗号回路に対して、ＡＥＳ１２８ビット暗号化処理を用いて処理すると、安全度が高い保護処理をすることが可能となる。このほか、コンテンツ暗号回路８２１に対しては、ＡＥＳ１２８ビット暗号化処理を用い、その他の暗号回路に対しては、ＤＥＳ暗号処理を用いると、システムとして重要なコンテンツ保護と、処理効率とのバランスがとれシステムを構成するのが容易になる。
【００７５】
また、さらに、機器間制御信号に従い、ベースバンド信号送信と圧縮信号送信とを切り替えられるように構成してもよい。このように構成すると、コンテンツ保護などの要求に応じて圧縮信号を送出する場合には、ＱＰＳＫ変調を用いて伝送することにより、伝送路における誤り耐性の優れた伝送が可能となる。また、ベースバンド信号を送出する場合には、６４ＱＡＭ変調により伝送効率の良い伝送が可能となる。
【００７６】
図９における映像機器１００と映像表示装置２００との動作は、図８のおける映像機器１００と映像表示装置２００との動作と基本的に同様である。映像機器１００が送信を行うために、まず、搬送波検出回路（図示せず）により、使用チャネルが既に他の機器が占有しているか否かを調査する。この搬送波検出は、所定の期間、所定の周波数帯に搬送波が存在するか否かを検出することにより、検出が行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。
【００７７】
誤り制御回路８４３はこの送信要求信号に対し、誤り検出・訂正用の誤り制御ビットを付加し、暗号／暗号復号回路８２３により暗号化し、ＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、暗号／暗号復号回路８２６により暗号復号する。この復号化された信号に対し、誤り制御回路８４７により、誤り検出・訂正制御を行うことにより機器間制御信号を出力し、ビット選択回路８１２へ伝える。映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。このようにして、コンテンツの著作権保護や複製制限条件に問題がない場合には接続が行われ、映像機器１００から映像表示装置２００へ映像や音声などが伝送される。
【００７８】
以上説明してきたように、本実施例によれば、現行の有線インタフェース方式（例えばＨＤＭＩ方式）とワイヤレス方式との共通化が可能となるなので、現行の有線インタフェース方式（例えばＨＤＭＩ方式）の出力を有する映像機器と、ワイヤレス方式の出力をもつ映像機器との両方に接続する映像表示装置に対し、使い勝手の向上とコストダウンを同時に実現できるという効果を提供することができる。
【実施例２】
【００７９】
図５は本発明の第２実施例であって、図１に示す映像表示装置２００の他の構成を示す図である。図５は一部図４に示す実施例と共通であり、その共通部分には同一番号を付しその詳細説明は省略する。図５に示された映像表示装置２００は、暗号復号回路２１２、暗号／暗号復号回路２４５、２９０、圧縮／トランスコーディング回路２９１、２９２、及び多重回路である複製制御回路２９３を含んでいる。
【００８０】
図５に示す実施例において、ベースバンド信号が端子２０１あるいは端子２０２から入力された場合には、図４に示す実施例と同様に動作する。圧縮／トランスコーディング回路２９２、２９１は、ベースバンド信号に対しては圧縮回路として動作する。圧縮された信号が端子２０１あるいは端子２０２から入力された場合には、入出力インタフェース２１０を介して暗号復号回路２１２で伝送に必要な暗号が復号され、逆多重回路２５０で圧縮された映像信号と圧縮された音声信号に分離される。それぞれの信号は複製制御回路２９０に入力され、複製の可否を示す情報から複製の可否が判断される。複製が可能な場合には、必要に応じて、圧縮／トランスコーディング回路２９１、２９２にて、より圧縮効率の良い圧縮方式を用いるなどして、圧縮映像信号及び圧縮音声信号のビットレートが低減される。圧縮／トランスコーディング回路２９１、２９２の出力信号は多重回路２９３で多重され、暗号／暗号復号回路２４５に入力される。ここで、複製制御回路２９０にて複製を許可されていることが検出された場合には、暗号／暗号復号回路２４５は、当該入力信号に対し適宜蓄積のための暗号化処理を施して、蓄積装置２３０及び／またはメモリ２２１に蓄積する。蓄積された信号を再生する場合には、蓄積装置２３０、メモリ２２１からの再生信号を暗号／暗号復号回路２４５にて暗号を復号して、逆多重回路２４１にて映像信号と音声信号に分離し、これ以降は上記と同様に処理して視聴することができる。蓄積装置２３０あるいはメモリ２２１に蓄積しながら視聴する場合にも、多重回路２９３からの信号が暗号／暗号復号回路２４５を介して逆多重回路２４１に入力され、同様に処理される。この場合には、トランスコードした画質を確認することができる。なお、蓄積をすることなく直接視聴する場合には、暗号復号回路２１２から暗号／暗号復号回路２４５を介して逆多重回路２４１に信号が入力され、ここで映像信号と音声信号に分離され以下同様に処理される。
【００８１】
図５に示す実施例では、圧縮された信号が入力された場合にも、トランスコーディングを行うことで、より高い圧縮率で効率よく蓄積を行うことができる。また、本実施例では、圧縮回路１１１、１１３を初め、信号処理をする手段を回路で実現する場合の例を示した。しかしながら、各種回路要素をソフトウェア的な手段で構成して上述した処理を行ってもよく、その場合でも同様の効果をあげることができる。本発明は、信号処理をどのように実現するかを制限するものではない。
【００８２】
この場合にも実施例１と同様に、現行の有線インタフェース方式（例えばＨＤＭＩ方式）とワイヤレス方式との共通化が可能となるなので、現行の有線インタフェース方式（例えばＨＤＭＩ方式）の出力を有する映像機器と、ワイヤレス方式の出力をもつ映像機器との両方に接続する映像表示装置に対し、使い勝手の向上とコストダウンを同時に実現できるという効果を提供することができる。
【図面の簡単な説明】
【００８３】
【図１】本発明の実施形態を示す図。
【図２】本発明の実施形態に係る映像機器１００の一例を示す図。
【図３】映像機器１００と映像表示装置２００とに記録される制御情報の一例を示す図。
【図４】本発明の実施形態に係る映像表示装置２００の一例を示す図。
【図５】本発明の実施形態に係る映像表示装置２００の他の例を示す図。
【図６】２つの映像機器同士を無線接続したシステムの一例を示す図。
【図７】２つの映像機器同士を無線接続したシステムの他の例を示す図。
【図８】ＨＤＭＩインタフェースの一構成例を示す図。
【図９】本発明における映像表示装置の制御方法を示す図。
【符号の説明】
【００８４】
１００    映像機器
１２１、２２１、３２１    メモリ
１２２、２２２    無線インタフェース
１１０    撮像装置
１１１、１１３、２８１、２８２、２９１、２９２    圧縮回路
１１２    マイク
１１４    センサ
１１６、１７０、２８３、２９３    多重回路
１２４、１５０、１５１、２２４、２５１、２５２    信号処理回路
１３０、２３０    蓄積装置
１４０、２４０、２４５    暗号／暗号復号回路
１４１、２５０、２４１    逆多重回路
１４２、１４３、２４２、２４３    伸張回路
１６０    表示装置
１６１、２７０    音声出力装置
１７１    暗号回路
１８０    放送受信機
２００    映像表示装置
２１１、２１２    暗号復号回路
２６０    ディスプレイ
２８０    複製制御回路
３００    受信機
【図１】
2009130874.tif 000003
【図２】
2009130874.tif 000004
【図３】
2009130874.tif 000005
【図４】
2009130874.tif 000006
【図５】
2009130874.tif 000007
【図６】
2009130874.tif 000008
【図７】
2009130874.tif 000009
【図８】
2009130874.tif 000010
【図９】
2009130874.tif 000011